(57)【特許請求の範囲】
【請求項１】
装置本体の同一のカバー部材に対して、レリーズボタン、第１の回転操作部材及び第２の回転操作部材がそれぞれ取り付けられる撮像装置であって、
前記レリーズボタンにより押されるスイッチ部、及び前記第１の回転操作部材の回転位置を検知するためのパターン部を有する第１のフレキシブル基板と、前記第１のフレキシブル基板を保持し、前記カバー部材に固定される保持部材と、前記第２の回転操作部材の回転方向を検知するためのパターンを有する第２のフレキシブル基板と、を備え、
前記第１の回転操作部材は、前記レリーズボタンより撮像面側に配置され、
前記第２の回転操作部材は、前記レリーズボタンと前記第１の回転操作部材との間に配置され、
前記装置本体を上面側から見たとき、前記レリーズボタンの中心を通り、かつ光軸と平行な直線に沿うように、前記第１の回転操作部材、及び前記第２の回転操作部材が配置され、
前記第１の回転操作部材、及び前記第２の回転操作部材のうちの最大径の回転操作部材の直径の範囲内に、他の回転操作部材、及び前記レリーズボタンが配置され、
前記第２の回転操作部材は、前記カバー部材に対して前記第１のフレキシブル基板を保持する保持部材が組み込まれた後に組み込まれ、前記第２の回転操作部材が前記カバー部材に組み込まれた後に前記第２のフレキシブル基板が前記第１のフレキシブル基板に電気的に接続され、
前記レリーズボタンのスイッチ部を固定する保持部材の平坦部を前記第２の回転操作部材のカバー部材の突起部が受け止めていることを特徴とする撮像装置。
【請求項２】
前記レリーズボタンは、前記装置本体の高さ方向を押し込み方向とし、
前記第１の回転操作部材は、前記装置本体の高さ方向を回転中心とし、
前記第２の回転操作部材は、光軸方向を回転中心とすることを特徴とする請求項１に記載の撮像装置。
【請求項３】
前記カバー部材には、押し込み方向が前記装置本体の高さ方向である複数の操作ボタンが取り付けられ、
前記装置本体を上面側から見たとき、前記複数の操作ボタンのうちの最も被写体側に配置される操作ボタンの中心を通り、かつ光軸と平行な直線に沿うように、他の操作ボタンが配置され、
前記複数の操作ボタンのうちの最大径の操作ボタンの直径の範囲内に、他の操作ボタンが配置されていることを特徴とする請求項１又は２に記載の撮像装置。
【請求項４】
前記複数の操作ボタンは、前記レリーズボタン、前記第１の回転操作部材、及び前記第２の回転操作部材に対して前記装置本体の中央寄りに平行に配置されていることを特徴とする請求項３に記載の撮像装置。
【発明の詳細な説明】
【技術分野】
【０００１】
本発明は、例えばデジタルカメラ等の撮像装置に関し、特に回転操作部材を備える撮像装置に関する。
【背景技術】
【０００２】
デジタルカメラ等の電子機器では、操作部材として、レリーズボタン、モードダイアル、および電子ダイアル等を備える。レリーズボタンは、半押し操作等の第１段階操作で被写体にピントを合わせ、全押し操作等の第２段階操作で撮像素子への露光を開始する。モードダイアルは、それぞれの撮影シーンに応じたプログラムに切り替えることができ、電子ダイアルは、シャッタスピードや絞り値等の撮影条件を変更することができる（特許文献１）。
【先行技術文献】
【特許文献】
【０００３】
【特許文献１】特開２０１２―２５５９１５号公報
【発明の概要】
【発明が解決しようとする課題】
【０００４】
レリーズボタン等の押圧される操作ボタンは、ユーザによって強く押し込まれると、操作ボタンが押圧操作された際に所定の信号を出力するスイッチ、もしくはスイッチが実装される配線基板が損傷してしまうおそれがある。
【０００５】
そこで、本発明は、撮像装置の小型化を図りつつ、回転操作部材を含む複数の操作部材の操作性の向上及び誤操作の防止を実現する仕組みを提供することを目的とする。
【課題を解決するための手段】
【０００６】
上記目的を達成するために、本発明の撮像装置は、装置本体の同一のカバー部材に対して、レリーズボタン、第１の回転操作部材及び第２の回転操作部材がそれぞれ取り付けられる撮像装置であって、前記レリーズボタンにより押されるスイッチ部、及び前記第１の回転操作部材の回転位置を検知するためのパターン部を有する第１のフレキシブル基板と、前記第１のフレキシブル基板を保持し、前記カバー部材に固定される保持部材と、前記第２の回転操作部材の回転方向を検知するためのパターンを有する第２のフレキシブル基板と、を備え、前記第１の回転操作部材は、前記レリーズボタンより撮像面側に配置され、前記第２の回転操作部材は、前記レリーズボタンと前記第１の回転操作部材との間に配置され、前記装置本体を上面側から見たとき、前記レリーズボタンの中心を通り、かつ光軸と平行な直線に沿うように、前記第１の回転操作部材、及び前記第２の回転操作部材が配置され、前記第１の回転操作部材、及び前記第２の回転操作部材のうちの最大径の回転操作部材の直径の範囲内に、他の回転操作部材、及び前記レリーズボタンが配置され、前記第２の回転操作部材は、前記カバー部材に対して前記第１のフレキシブル基板を保持する保持部材が組み込まれた後に組み込まれ、前記第２の回転操作部材が前記カバー部材に組み込まれた後に前記第２のフレキシブル基板が前記第１のフレキシブル基板に電気的に接続され、前記レリーズボタンのスイッチ部を固定する保持部材の平坦部を前記第２の回転操作部材のカバー部材の突起部が受け止めていることを特徴とする。
【発明の効果】
【０００７】
本発明によれば、撮像装置の小型化を図りつつ、回転操作部材を含む複数の操作部材の操作性の向上及び誤操作の防止を実現することができる。
【図面の簡単な説明】
【０００８】
【図１】本発明を実施した電子機器である撮像装置の第１の実施形態であるデジタルカメラを正面側（被写体側）から見た斜視図である。
【図２】図１に示すデジタルカメラを背面側から見た斜視図である。
【図３】図１に示すデジタルカメラの分解斜視図である。
【図４】トップカバーユニットをカメラ本体の正面側から見た斜視図である。
【図５】トップカバーユニットの分解斜視図である。
【図６】トップカバーユニットをカメラ本体の上面側から見た図である。
【図７】トップカバーユニットから電子ダイアルユニットを取り外した状態をカメラ本体の下面側から見た斜視図である。
【図８】（ａ）はトップカバーユニットをカメラ本体の下面側から見た図、（ｂ）は（ａ）のＡ−Ａ線断面図である。
【図９】本発明の第２の実施形態であるデジタルカメラにおいて、トップカバーユニットから電子ダイアルユニット及び保持部材を取り外した状態をカメラ本体の下面側から見た図である。
【図１０】本発明の第３の実施形態であるデジタルカメラにおいて、トップカバーユニットからトップカバーを取り外した状態をカメラ本体の下面側から見た図である。
【発明を実施するための形態】
【０００９】
以下、図面を参照して、本発明の実施形態を説明する。
【００１０】
（第１の実施形態）
図１は、本発明を実施した電子機器である撮像装置の第１の実施形態であるデジタルカメラを正面側（被写体側）から見た斜視図である。
【００１１】
本実施形態のデジタルカメラは、図１に示すように、カメラ本体１の正面側にレンズ鏡筒２、及びフロントカバーユニット３が設けられている。レンズ鏡筒２は、沈胴位置と撮影位置と間で光軸方向に移動して撮影倍率を変更するズーム式とされ、撮影レンズ、ズーム機構、シャッタ機構、及びフォーカス機構等が搭載される。レンズ鏡筒２は、カメラ本体１のメインシャーシ（不図示）にビス等により固定されている。また、レンズ鏡筒２には、撮影レンズを通過して結像した被写体像を光電変換して画像データを生成するＣＣＤセンサやＣＭＯＳセンサ等の撮像素子（不図示）が実装されている。
【００１２】
フロントカバーユニット３は、カメラ本体１の正面側の外装を形成する樹脂製のフロントカバー３１、フレームアシストボタン３２、及び正面側のグリップ部材として機能するフロントグリップ３３を有する。フレームアシストボタン３２は、超望遠撮影時に被写体が表示画面から外れてしまっても、レンズ鏡筒２を広角側に移動させることで周辺領域が表示されるようにして被写体の再捕捉を容易にするためのボタンである。また、カメラ本体１の内部には、ＣＰＵや各種フレキシブル基板を電気的に接続するためのコネクタを有するメイン基板（不図示）が設けられている。
【００１３】
図２は、図１に示すデジタルカメラを背面側から見た斜視図である。図２に示すように、カメラ本体１の背面側には、バリアングル型の表示部４、及びリアカバーユニット５が設けられている。
【００１４】
表示部４は、ＬＣＤ等で構成され、カメラ本体１に対してヒンジ部４１を介して開閉軸Ｙを中心に約１８０°の角度範囲で開閉方向に回動可能に、かつ開状態で回転軸Ｘを中心に約２７０°の角度範囲で回転可能に支持されている。ヒンジ部４１は、カメラ本体１のメインシャーシ（不図示）にビス止め等で固定するのが強度上好ましい。
【００１５】
リアカバーユニット５は、カメラ本体１の背面側の外装を形成する樹脂製のリアカバー５１、各種操作ボタン５２、及びカメラ本体１の背面側のグリップ部材として機能するリアグリップ５３を有する。
【００１６】
図３は、図１に示すデジタルカメラの分解斜視図である。図３に示すように、カメラ本体１は、前述したフロントカバーユニット３及びリアカバーユニット５の他に、トップカバーユニット６及びサイドカバーユニット８を有する。
【００１７】
トップカバーユニット６は、カメラ本体１を正面側から見て左側の上面部に配置されている。トップカバーユニット６のトップカバー６００には、電源ボタン６１、レリーズボタン６２、ズームレバー６３、電子ダイアル６４、及びモードダイアル６５が取り付けられている。電子ダイアル６４は、回転操作することで、シャッタスピードや絞り値等の撮影条件を変更する。電子ダイアル６４は、本発明の第２の回転操作部材に相当し、モードダイアル６５は、本発明の第１の回転操作部材の一例に相当する。
【００１８】
また、カメラ本体１の上面中央部には、外部ストロボ等のアクセサリが着脱可能に取り付けられるアクセサリシュー７１、及びポップアップ式のストロボユニット７２が設けられている。
【００１９】
サイドカバーユニット８は、カメラ本体１を正面側から見て右側の側面部に配置されている。サイドカバーユニット８は、カメラ本体１を正面側から見て右側の側面部の外装を形成する樹脂製のサイドカバー８２、及び不図示の外部接続コネクタを開閉可能に覆うコネクタカバー８３を有する。
【００２０】
図４は、トップカバーユニット６をカメラ本体１の正面側から見た斜視図である。図４に示すように、トップカバーユニット６の図の右側には、ユーザの使用頻度の高いショートカットボタン６０、及び電源ボタン６１が被写体側から撮像面側に向けて順番に直線的に並設されている。また、トップカバーユニット６の図の左側には、レリーズボタン６２、電子ダイアル６４、及びモードダイアル６５が被写体側から撮像面側に向けて順番に直線的に並設されている。レリーズボタン６２の周りには、ズームレバー６３が約３０°の角度範囲で回転操作可能に設けられている。
【００２１】
レリーズボタン６２は、カメラ本体１の高さ方向に押し操作が可能になっている。ズームレバー６３は、カメラ本体１の高さ方向を回転中心として回転操作が可能になっている。なお、レリーズボタン６２及びズームレバー６３は、カメラ本体１をグリップした右手の人差し指で操作し易いように、カメラ本体１の高さ方向に対して若干傾斜して配置されている。
【００２２】
電子ダイアル６４は、光軸と平行な軸を回転中心として回転操作が可能になっており、ユーザは、電子ダイアル６４、レリーズボタン６２及びズームボタン６３のすべてを右手の人差し指で操作可能である。モードダイアル６５は、最も撮像面側に配置され、カメラ本体１の高さ方向を回転中心として回転操作が可能である。ユーザは、モードダイアル６５を右手の人差し指と親指で摘んで回転させるかリアグリップ５３側から親指だけで回転させるかのいずれかで操作することができる。
【００２３】
ここで、電子ダイアル６４は、光軸と平行な軸を回転中心としないでカメラの高さ方向を回転中心とする方向に配置することもできるが、前後の操作部材に影響を受けないで操作するためには前後の操作部材と光軸方向に大きく離して配置する必要がある。このため、カメラの大型化を招くことになる。また、操作性においても電子ダイアル６４の側面を人差し指で操作するにはかなり操作し難いため、グリップしている右手から電子ダイアル６４をカメラ本体１の中央寄りに離して配置する必要があり、これも操作部材をコンパクトにまとめる上での障害となり得る。
【００２４】
本実施形態では、前述したように、電子ダイアル６４を光軸と平行な軸を回転中心とし回転操作可能とすることで、カメラの大型化を招くことなく、かつ操作性を低下させることなく、複数の操作部材をコンパクトにまとめて配置することができる。
【００２５】
図５は、トップカバーユニット６の分解斜視図である。図５に示すように、トップカバーユニット６は、レリーズボタン６２を含むズームレバーユニット６Ａ、電子ダイアルユニット６Ｂ、モードダイアルユニット６Ｃ、及びショートカットボタン６０を含む電源ボタンユニット６Ｄを有する。
【００２６】
ズームレバーユニット６Ａは、トップカバー６００の上面側から挿入されるズームレバー６３と、ズームレバー６３の中央部に挿入される圧縮バネ６２ａと、圧縮バネ６２ａの中心に軸部６２１が挿入されるレリーズボタン６２とを有する。レリーズボタン６２は、ズームレバー６３との間に圧縮バネ６２ａを挟みこんで不図示のパッチン部で抜け止めがされているため、圧縮バネ６２ａの付勢力に抗してズームレバー６３の回転軸方向に押し操作が可能である。
【００２７】
このとき、レリーズボタン６２の軸部６２１がフレキシブル基板６７に実装される２段階に押し位置が設定されているスイッチ６７ａを押すことで、１段階目はピント合わせ信号、２段階目は露光開始信号がそれぞれフレキシブル基板６７を介して送られる。このフレキシブル基板６７は、保持部材６６に対して位置決めされた後に両面テープ等によって固定されている。フレキシブル基板６７は、レリーズボタン６２が押圧操作された際に所定の信号を出力するスイッチ６７ａが実装される配線基板の一例に相当する。保持部材６６は、板状の金属を曲げ加工することで形成されており、トップカバー６００にビス６８によって固定されているため、レリーズボタン６２の操作に対してある程度の強度を保っている。
【００２８】
ズームレバー６３の突起部６３１とトップカバー６００の不図示の突起部とには、トップカバー６００の下面側からゴム部材６３ｂを介してトーションバネ６３ａが引っ掛けられる。これにより、ズームレバー６３は、トーションバネ６３ａが安定する中立位置から図中のα方向に約３０°、β方向に約３０°の範囲で回転操作が可能となる。図のα方向は、ズームの広角側であり、β方向は、ズームの望遠側である。ズームレバー６３は、トップカバー６００を介してホルダ６３ｃに位置決めされ、熱加締め等により固定される。
【００２９】
また、位置検出用のズームブラシ６３ｄも同様に、ホルダ６３ｃに対して熱加締め等によって固定されるため、ズームレバー６３の回転に伴って、ズームブラシ６３ｄは、ズームレバー６３の回転軸中心に回転する。フレキシブル基板６７には、ズームレバー６３の回転位置を検出可能なパターンが施されているため、ズームブラシ６３ｄとの導通信号によってレンズ鏡筒２が通電時間の分だけ駆動される。
【００３０】
電子ダイアルユニット６Ｂは、電子ダイアルホルダ６４ａと、電子ダイアルホルダ６４ａに対して撮像面側から組み込まれる電子ダイアル６４と、及び電子ダイアルホルダ６４ａの被写体側に配置されるクリックプレート６４ｄを有する。クリックプレート６４ｄは、ブラシ６４ｅを位置決めした状態でビス６４ｆにより電子ダイアル６４に固定される。
【００３１】
電子ダイアルホルダ６４ａには、クリックプレート６４ｄのクリック溝にボール６４ｂを当接させる圧縮バネ６４ｃが設けられている。電子ダイアル６４を回転操作すると、ボール６４ｂがクリックプレート６４ｄのクリック溝を乗り越え、これにより、圧縮バネ６４ｃの荷重を変化してクリック感が付与される。
【００３２】
フレキシブル基板６４ｇには、電子ダイアル６４の回転方向を検知するためのパターンを形成されている。フレキシブル基板６４ｇは、電子ダイアルホルダ６４ａに位置決めされ、被写体側からカバー部材６４ｈを被せてビス６９ａ等により電子ダイアルホルダ６４ａに固定されることでブラシ６４ｅと導通する。  
【００３３】
モードダイアルユニット６Ｃは、トップカバー６００の上面側に配置されるモードダイアル６５と、モードダイアル６５とトップカバー６００との間に設けられるボール６５ｃ及び圧縮バネ６５ｄとを有する。ボール６５ｃ及び圧縮バネ６５ｄは、それぞれ２つずつ設けられ、圧縮バネ６５ｄは、モードダイアル６５の不図示のクリック溝にボール６５ｃを当接される。このため、モードダイアル６５を回転操作すると、圧縮バネ６５ｄの荷重を変化し、これにより、クリック感が付与される。モードダイアル６５の上面には、各種カメラモードを視認可能なモードダイアルプレート６５ｂが両面テープ６５ａ等によって固定される。
【００３４】
トップカバー６００の下面側には、ホルダ６５ｅ及びブラシ６５ｆが配置され、ホルダ６５ｅ及びブラシ６５ｆは、ビス６５ｇ等によりモードダイアル６５に固定される。これにより、モードダイアル６５の回転操作に伴ってブラシ６５ｆが回転して、ブラシ６５ｆが保持部材６６に固定されたフレキシブル基板６７のパターンと導通し、モードダイアル６５がどのポジションに停止しているかを検出することができる。
【００３５】
なお、本実施形態では、ボール６５ｃ及び圧縮バネ６５ｄをそれぞれ２つずつ設けているが、ボール６５ｃ及び圧縮バネ６５ｄの数は、特に限定されず、例えば、ボール６５ｃ及び圧縮バネ６５ｄをそれぞれ１つずつ設けるようにしてもよい。
【００３６】
電源ボタンユニット６Ｄは、トップカバー６００の下面側に配置されるショートカットボタン６０、電源ボタン６１、及びクッション部材６０ａを有する。ショートカットボタン６０と電源ボタン６１とは、モールド成形により互い接続されて一体化され、クッション部材６０ａを介してトップカバー６００に接着剤等により位置決め固定される。
【００３７】
ショートカットボタン６０及び電源ボタン６１には、それぞれの中央に不図示の突起部が設けられており、いずれかのボタンが押し操作されると、各ボタンに対応してフレキシブル基板６７に実装されたスイッチ部６７ｂが押下される。具体的には、ショートカットボタン６０の押し操作により、ユーザが指定した所望の動作が開始或いは終了され、電源ボタン６１の押し操作によりカメラの電源のＯＮ／ＯＦＦ操作が可能となる。
【００３８】
トップカバーユニット６の組み立て順序は、まず、トップカバー６００に対してズームレバーユニット６Ａ、モードダイアルユニット６Ｃ、及び電源ボタンユニット６Ｄを組み込む。その後、フレキシブル基板６７を保持する保持部材６６をトップカバー６００にビス６８等で固定する。次に、電子ダイアルユニット６Ｂを保持部材６６の切り欠き部６６ａを介して下側から取り付けた後に電子ダイアルユニット６Ｂのフレキシブル基板６４ｇのコネクタ部６４ｇ−１をフレキシブル基板６７のコネクタ部６７ｃ（図７参照）に挿入し電気的に接続する。これにより、トップカバーユニット６の組立が完了する。
【００３９】
図６は、トップカバーユニット６をカメラ本体１の上面側から見た図である。図６に示すように、ズームレバーユニット６Ａは、トップカバーユニット６において、カメラ本体１の最も被写体側に配置されている。
【００４０】
そして、カメラ本体１の上面側から見て、ズームレバーユニット６Ａの中心Ｐ１を通り、かつ光軸と平行な直線Ｚ１に沿うように電子ダイアルユニット６Ｂ及びモードダイアルユニット６Ｃが配置されている。言い換えると、カメラ本体１をレリーズボタン６２の押圧操作方向から見たとき、電子ダイアル６４およびモードダイアル６５がレリーズボタン６２の中心を通り光軸と平行な線上に位置するように、電子ダイアル６４およびモードダイアル６５が配置されている。また、ズームレバーユニット６Ａ及びモードダイアルユニット６Ｃの回転軸に対して電子ダイアルユニット６Ｂの回転軸を略直交させ、各ユニット６Ａ〜６Ｃのうちの最大径のユニット６Ｃの直径Ｗ１の範囲内に他のユニット６Ａ，６Ｂが配置されている。これにより、各ユニット６Ａ〜６Ｃが配置されるスペースのカメラ本体１の左右方向の幅Ｗ１と光軸方向の長さＬを短くすることができる。
【００４１】
一方、ショートカットボタン６０及び電源ボタン６１も同様に、トップカバーユニット６の最も被写体側に配置されるショートカットボタン６０の中心Ｐ２を通り、かつ光軸と平行な直線Ｚ２に沿うように電源ボタン６１が配置されている。また、各ボタン６０，６１のうちの最大径のボタン６１の直径Ｗ２の範囲内に他のボタン６０が配置されている。言い換えると、カメラ本体１をレリーズボタン６２の押圧操作方向から見たとき、モードダイアル６５の直径の投影範囲内に、電子ダイアル６４およびレリーズボタン６２が配置されている。これにより、各ボタン６０，６１が配置されるスペースのカメラ本体１の左右方向の幅Ｗ２を短くすることができる。
【００４２】
これにより、各ユニット６Ａ〜６Ｃ及び各ボタン６０，６１をスペース効率良く配置することができる。この結果、カメラの小型化を図りつつ、レリーズボタン６２、ズームレバー６３、電子ダイアル６４、モードダイアル６５及び各ボタン６０，６１の操作性の向上及び誤操作の防止を実現することができる。
【００４３】
なお、本実施形態では、ズームレバーユニット６Ａの回転軸方向はカメラの鉛直方向とは完全に一致せず若干傾斜した位置関係にあるが、カメラ本体１の上面側から見たときのズームレバーユニット６Ａの外形投影中心を起点とすればよい。
【００４４】
図７は、トップカバーユニット６から電子ダイアルユニット６Ｂを取り外した状態をカメラ本体１の下面側から見た斜視図である。図７に示すように、トップカバー６００の裏面側には、保持部材６６が固定され、保持部材６６には、モードダイアルユニット６Ｃの回転位置を検知するためのパターン部６７ｄ（図５参照）を有するフレキシブル基板６７が設けられる。また、保持部材６６は、電源ボタンユニット６Ｄのスイッチ部６７ｂ（図５参照）を固定する比較的広い面積の平坦部６６ｄと、ズームレバーユニット６Ａのスイッチ６７ａ（図５）を固定する平坦部６６ｃとを有する。
【００４５】
保持部材６６の平坦部６６ｄと平坦部６６ｃとは、腕部６６ｂにより接続され、これにより、保持部材６６は、略コ字形状に形成され、平坦部６６ｄと平坦部６６との間には、電子ダイアルユニット６Ｂが組み込まれる切り欠き部６６ａが形成されている。モードダイアルユニット６Ｃのパターン部６７ｄ、電源ボタンユニット６Ｄのスイッチ部６７ｂ、及びズームレバーユニット６Ａのスイッチ６７ａは、フレキシブル基板６７によって一つにまとめて電気接続されている（図５参照）。また、ズームレバーユニット６Ａのスイッチ６７ａまでのフレキシブル基板６７の這い回しは、保持部材６６の腕部６６ｂに沿って行われる。
【００４６】
このとき、フレキシブル基板６７は、電子ダイアルユニット６Ｂが組み込まれる際に電子ダイアルユニット６Ｂが当たって傷等が付かないように、保持部材６６の外形から必ず内側に配置されるように位置決めされている。電子ダイアルユニット６Ｂは、図７の矢印Ｙ方向に組み付けて電子ダイアル６４をトップカバー６００の開口部６００ａに挿入し、トップカバー６００に対して位置決めした状態でビス６９ｂ等によりトップカバー６００に固定される。
【００４７】
図８（ａ）はトップカバーユニット６をカメラ本体１の下面側から見た図、図８（ｂ）は図８（ａ）のＡ−Ａ線断面図である。電子ダイアルユニット６Ｂの組み付け後は、ズームレバーユニット６Ａのスイッチ６７ａ（図５参照）を固定する保持部材６６の平坦部６６ｃを、電子ダイアルユニット６Ｂのカバー部材６４ｈの突起部６４ｈ−１がカメラ本体１の下面側から受け止めている。突起部６４ｈ−１は、カバー部材６４ｈがフレキシブル基板６４ｇを覆う面とは反対側の面に突出形成されている。突起部６４ｈ−１は、本発明の支持部の一例に相当する。
【００４８】
これにより、レリーズボタン６２がユーザによって強く押し込まれたとしても、保持部材６６の平坦部６６ｃと電子ダイアルユニット６Ｂのカバー部材６４ｈの突起部６４ｈ−１との両方で力を受けることができる。この結果、平坦部６６ｃの変形によるレリーズボタン６２の作動不良を防止することが可能となる。
【００４９】
更に、落下等でカメラに衝撃が加わると、衝撃によって保持部材６６に力が加わり保持部材６６の平坦部６６ｃの変形によってレリーズボタン６２の作動不良を起こす可能性がある。その変形を防止する上でも保持部材６６の平坦部６６ｃを電子ダイアルユニット６Ｂのカバー部材６４ｈの突起部６４ｈ−１がカメラ本体１の下面側から受けることでレリーズボタン６２の作動不良を防止することができる。
【００５０】
また、フロントカバー３１の２つの突起部３４（図３参照）とトップカバー６００の２つの穴部６００ｂ（図４参照）との係合により、両カバー３１，６００を互いにカメラ本体１の高さ方向に引き込んで、合わせ部６００ｃに隙間ができないようにしている。しかし、２つの引き込み部（穴部６００ｂと突起部３４の係合部）の位置が離れているため，図４の矢印Ｚ位置に隙間が生じることがある。
【００５１】
この場合、ズームレバーユニット６Ａの位置制約によってフロントカバー３１とトップカバー６００との引き込み部が追加できない。このため、本実施形態では、保持部材６６の突起部６６ｅをフロントカバー３１に設けられた不図示の穴部に係合させて互いに引き込むことで、図４の矢印Ｚ位置での隙間を無くすようにしている。
【００５２】
以上説明したように、本実施形態では、この結果、カメラの小型化を図りつつ、レリーズボタン６２、ズームレバー６３、電子ダイアル６４、モードダイアル６５及び各ボタン６０，６１の操作性の向上及び誤操作の防止を実現することができる。
【００５３】
（第２の実施形態）
次に、図９を参照して、本発明の撮像装置の第２の実施形態であるデジタルカメラについて説明する。図９は、トップカバーユニット６から電子ダイアルユニット６Ｂ及び保持部材６６を取り外した状態をカメラ本体１の下面側から見た図である。なお、上記第１の実施形態に対して重複又は相当する部分については、図に同一符号を付して説明する。
【００５４】
本実施形態では、図９に示すように、保持部材６６の平坦部６６ｃと平坦部６６ｄとの図の左右両側がそれぞれ腕部６６ｂ及び腕部６６ｆにより接続されている。このため、保持部材６６は、略ロ字形の環状に形成され、中央部に電子ダイアルユニット６Ｂが組み込まれる切り欠き部６６ａが配置される。また、平坦部６６ｃを傾けるための屈曲部６６ｇが平坦部６６ｃと腕部６６ｂ及び腕部６６ｆとの間に設けられている。
【００５５】
上記第１の実施形態のように、平坦部６６ｃと平坦部６６ｄが腕部６６ｂのみで接続されているコ字形状の保持部材６６の場合は、平坦部６６ｃ周辺の剛性が低下する。しかし、平坦部６６ｃを２軸方向に傾けてねじれの位置にすることも可能であるため、ズームレバーユニット６Ａのレイアウトの自由度が向上する。
【００５６】
一方、本実施形態のように、ロ字形状の保持部材６６の場合は、平坦部６６ｃ周辺の剛性が向上するが、平坦部６６ｃを１軸方向でしか傾けることができないため、ズームレバーユニット６Ａのレイアウトの自由度は低下する。いずれの場合も保持部材６６の平坦部６６ｃの少なくとも対角方向をトップカバー６００に対してビス止め等により固定することが望ましい。
【００５７】
また、電子ダイアルユニット６Ｂの組み込みによって、保持部材６６平坦部６６ｃを電子ダイアルユニット６Ｂのカバー部材６４ｈの突起部６４ｈ−１が下から受け止めることで補強が可能となる。
【００５８】
フレキシブル基板６７に関しては、上記第１の実施形態と同様に、モードダイアルユニット６Ｃのパターン部６７ｄと電源ボタンユニット６Ｄのスイッチ部６７ｂとズームレバーユニット６Ａのスイッチ６７ａとが一つにまとめて電気接続される。また、フレキシブル基板６７のズームレバーユニット６Ａのスイッチ６７ａまでの這い回しは、保持部材６６の腕部６６ｂに沿って行われる（図の矢印Ａ）か、もしくは保持部材６６の腕部６６ｆに沿って行われる（図の矢印Ｂ）。その他の構成、及び作用効果は、上記第１の実施形態と同様である。
【００５９】
（第３の実施形態）
次に、図１０を参照して、本発明の撮像装置の第３の実施形態であるデジタルカメラについて説明する。図１０は、トップカバーユニット６からトップカバー６００を取り外した状態をカメラ本体１の下面側から見た図である。なお、上記第１の実施形態に対して重複又は相当する部分については、図に同一符号を付して説明する。
【００６０】
本実施形態では、保持部材６６を介さずレリーズボタン６２を電子ダイアルユニット６Ｂのカバー部材６４ｈの突起部６４ｈ−１で直接受け止める。
【００６１】
レリーズボタン６２により押されるフレキシブル基板６７のスイッチ６７ａ（図５参照）とズームレバー６３の位置検出用パターンは、トップカバー６００に組み込まれる前にカバー部材６４ｈの突起部６４ｈ−１に両面テープ等により予め固定される。電子ダイアルユニット６Ｂのホルダ６４ａがトップカバー６００に対してビス６９ｂ等により固定されることで、レリーズボタン６２或いはズームレバー６３のブラシ６３ｄとの位置が決まる。
【００６２】
電子ダイアルユニット６Ｂがトップカバー６００に組み付けられるときのフレキシブル基板６７は、モードダイアルユニット６Ｃと電源ボタンユニット６Ｄだけの保持で面積の小さくなった保持部材６６から延びて這い回されている。このため、無理なく電子ダイアルユニット６Ｂをトップカバー６００に組み付けることができる。このとき、電子ダイアルユニット６Ｂとフレキシブル基板６７は一体的に組み込まれるため、上記第１の実施形態のように、組み込みの際にフレキシブル基板６７を傷つける心配はない。
【００６３】
本実施形態では、保持部材６６をズームレバーユニット６Ａの直下まで延長する必要がないため、保持部材６６の面積を小さくして簡素化することができ、コストダウンが可能になる。また、ズームレバーユニット６Ａの傾きは、電子ダイアルユニット６Ｂのカバー部材６４ｈの突起部６４ｈ−１の形状で対応できるため、ズームレバーユニット６Ａのレイアウトの自由度が向上する。その他の構成、及び作用効果は、上記第１の実施形態と同様である。
【００６４】
なお、本発明の構成は、上記各実施形態に例示したものに限定されるものではなく、材質、形状、寸法、形態、数、配置箇所等は、本発明の要旨を逸脱しない範囲において適宜変更可能である。
【００６５】
上記各実施形態では、カメラ本体１の最も撮像面側にある回転操作部材としてモードダイアル６５を例示したが、これに限定されず、例えば露出補正ダイアル等の他の回転操作部材であってもよい。
【００６６】
また、上記各実施形態では、ズームレバーユニット６Ａ及びモードダイアルユニット６Ｃの回転軸に対して電子ダイアルユニット６Ｂの回転軸を略直交させているが、これに限定されない。例えば、電子ダイアルに代えて比較的直径の小さい回転操作部材を用いる場合は、当該回転操作部材の回転軸をカメラ本体１の高さ方向に配置してもよい。
【符号の説明】
【００６７】
１  カメラ本体
６  トップカバーユニット
６２  レリーズボタン
６３  ズームレバー
６４  電子ダイアル
６５  モードダイアル
６００  トップカバー
【図１】
0006584057.tif 000002
【図２】
0006584057.tif 000003
【図３】
0006584057.tif 000004
【図４】
0006584057.tif 000005
【図５】
0006584057.tif 000006
【図６】
0006584057.tif 000007
【図７】
0006584057.tif 000008
【図８】
0006584057.tif 000009
【図９】
0006584057.tif 000010
【図１０】
0006584057.tif 000011